(57)【要約】【課題】空気調和機の、通常運転後の停止中の室温を検知し、誤検知を低減し、健康管理上、不利な室内温度、湿度状態になった場合に、室内にいる利用者に報知し、空気調和機の運転を促す。【解決手段】室内機の室内温度センサで検知した室内温度と、前記室内機の湿度センサで検知した室内湿度が閾値以上となった場合に報知する報知手段を備えた空気調和機で、空気調和機の通常運転が停止し、停止中の室内温度と室内湿度を検知し、サンプリング区間と、停止中で前記サンプリング区間後の室内温度と室内湿度を検知し、閾値と比較して報知判定する報知判定区間とを備え、報知判定時間中に室内温度と室内湿度が閾値以上を継続すると報知手段を報知することにより、室内空間の環境が、健康管理上、不利であることを利用者に報知し、空気調和機の運転開始を促すことができる。【選択図】図３
2014153042.tif 000002
【特許請求の範囲】
【請求項１】
空気調和機の室内機の室内温度センサで検知した室内温度と、前記室内機の湿度センサで検知した室内湿度が閾値以上となった場合に報知する報知手段を備えた空気調和機において、前記空気調和機の通常運転が停止し、停止中の前記室内温度と前記室内湿度を検知し、前記閾値以上になっても報知判定をしないサンプリング時間と、停止中で前記サンプリング時間後の前記室内温度と前記室内湿度を検知し、前記閾値と比較して報知判定する報知判定時間とを備え、前記報知判定時間中に、前記室内温度と前記室内湿度が閾値以上を継続すると前記報知手段を報知することを特徴とする空気調和機。
【請求項２】
前記通常運転が暖房運転の場合、前記サンプリング時間の間、前記空気調和機の吹出し口は閉塞したまま、送風運転を行うことを特徴とする請求項１に記載の空気調和機。
【請求項３】
前記通常運転が冷房運転の場合、前記サンプリング時間の間、前記空気調和機の吹出し口は閉塞し、送風運転は停止することを特徴とする請求項１または２に記載の空気調和機。
【請求項４】
前記報知手段は断続的に複数回繰返して報知することを特徴とする請求項１から３のいずれか１項に記載の空気調和機。
【発明の詳細な説明】
【技術分野】
【０００１】
本発明は、空気調和機に関し、特に、運転停止中でも室温状態を知らせて利用者の健康管理の維持を促すことを目的とする空気調和機に関する。
【背景技術】
【０００２】
従来、室内ユニット３またはリモコン３０に配設された報知手段であって、室内のユーザーに対して情報を報知する報知手段２ｅと、室内ユニット３に設けられた、室温を計測する室温計測手段４ｃと、湿度を計測する湿度計測手段４ｃと、室温が３０度以上であるか否かを判断する室温判断部と、湿度が７５％以上であるか否かを判断する湿度判断部と、室温判断部の出力と湿度判断部の出力とに基づいて、リモコン３０に室内が熱中症が起こりやすい状態か否か判断し、起こりやすい状態である場合には報知手段２ｅによって報知する制御部６ｂを有し、運転中でも停止中でも、健康管理上の有利な室内状態を実現することができる。
【先行技術文献】
【特許文献】
【０００３】
【特許文献１】特開２０１２−２０７８６７号公報
【発明の概要】
【発明が解決しようとする課題】
【０００４】
しかしながら、上記従来の空気調和機は、室内ユニットの温度・湿度感知部４ｃまたはリモコン３０の温度感知部が感知した温度および湿度が所定の３０℃、７５％を超えているかどうかで判断するとしているが、実際には、暖房運転停止直後や冷房運転停止直後の停止状態で、熱中症など健康管理上、不利な室内常態になっていないかを室内温度、湿度感知部で検知することは、非常に温度のバラツキがあり誤検知するおそれがある。
【０００５】
本発明は、上記従来の課題を考慮し、特に通常運転後の停止中の室温を検知し、誤検知を低減して、健康管理上、不利な室内温度、湿度状態になった場合に、室内にいる利用者に報知して、空気調和機の運転を促すことを目的とする。
【課題を解決するための手段】
【０００６】
上記問題を解決するために、本発明の空気調和機は、空気調和機の室内機の室内温度センサで検知した室内温度と、前記室内機の湿度センサで検知した室内湿度が閾値以上となった場合に報知する報知手段を備えた空気調和機において、前記空気調和機の通常運転が停止し、停止中の前記室内温度と前記室内湿度を検知し、前記閾値以上になっても報知判定をしないサンプリング時間と、停止中で前記サンプリング時間後の前記室内温度と前記室内湿度を検知し、前記閾値と比較して報知判定する報知判定時間とを備え、前記報知判定時間中に、前記室内温度と前記室内湿度が閾値以上を継続すると前記報知手段を報知する。これにより、誤検知を防止することができ、誤報知を低減することができる。
【発明の効果】
【０００７】
本発明の空気調和機は、通常運転停止中の室温、湿度を正しく検知し、室内空間の環境が不利になった時に、利用者に報知する空気調和機を提供することができる。
【図面の簡単な説明】
【０００８】
【図１】本発明に係る実施の形態１の空気調和機における室内機の概略構成を示す側面断面図
【図２】実施の形態１の空気調和機の構成を示す図
【図３】本発明の実施の形態に係る動作を示す図
【図４】従来技術のフロー図
【発明を実施するための形態】
【０００９】
第１の発明は、空気調和機の室内機の室内温度センサで検知した室内温度と、前記室内機の湿度センサで検知した室内湿度が閾値以上となった場合に報知する報知手段を備えた空気調和機において、前記空気調和機の通常運転が停止し、停止中の前記室内温度と前記室内湿度を検知し、前記閾値以上になっても報知判定をしないサンプリング時間と、停止中で前記サンプリング時間後の前記室内温度と前記室内湿度を検知し、前記閾値と比較して報知判定する報知判定時間とを備え、前記報知判定時間中に、前記室内温度と前記室内湿度が閾値以上を継続すると前記報知手段を報知することにより、室内空間の環境が、健康管理上、不利であることを利用者に報知し、空気調和機の運転開始を促すことができる。
【００１０】
第２の発明は、特に第１の発明で、前記通常運転が暖房運転の場合、前記サンプリング時間の間、前記空気調和機の吹出し口は閉塞したまま、送風運転を行うので、室内温度センサが、閾値以上に高温になった室内熱交換器の温度を検知して誤報知するのを防止することができる。
【００１１】
第３の発明は、特に第１または第２の発明で、前記通常運転が冷房運転の場合、前記サンプリング時間の間、前記空気調和機の吹出し口は閉塞し、送風運転は停止するので、停止中に室内熱交換器に溜まった冷媒が送風運転によって熱交換されて送風による冷風によって室内温度センサが室温以下に冷やされて、室内温度を誤検知するのを防止することができる。
【００１２】
第４の発明は、特に第１から第３のいずれかの発明で、前記報知手段は断続的に複数回繰返して報知するので、利用者に報知を気付かせることができ、空気調和機の運転を促すことができる。
【００１３】
以下、本発明の実施の形態について、図面を参照しながら説明する。なお、この実施の形態によって本発明が限定されるものではない。
【００１４】
（実施の形態１）
実施の形態１の空気調和機は、室内機と室外機が冷媒配管及び制御配線等により互いに接続されたセパレート型の空気調和機である。室内機と室外機によりヒートポンプが構成されており、室外機にはコンプレッサが設けられている。実施の形態１の空気調和機における室内機は、室内の壁面に取り付ける壁掛け式室内機である。
【００１５】
図１は、本発明に係る実施の形態１の空気調和機における室内機の概略構成を示す側面断面図である。図１に示すように、室内機１は、空気取り入れ口となる前面開口部２ａと上面開口部２ｂとを持つ本体２、及び本体２の前面開口部２ａを開閉する可動式の前面パネル３とを備えている。また、本体２の下方側には、熱交換された空気を吹き出す吹出口２ｃが配設されている。なお、図１は実施の形態１の空気調和機における空調運転停止時の状態を示している。
【００１６】
図１に示すように、実施の形態１の空気調和機の空調運転停止時においては、前面パネル３が、本体２に密着して前面開口部２ａを閉じるように構成されている。一方、空気調和機の空調運転時においては、前面パネル３が、本体２から離れる方向に所定距離だけ移動して前面開口部２ａを開放するように構成されている。
【００１７】
図１に示すように、本体２の内部には、熱交換器４と、前面開口部２ａ及び上面開口部２ｂからフィルタ６を通して取り入れた室内空気を熱交換器４で熱交換して室内に吹き出すためのファン５とが設けられている。前面開口部２ａ及び上面開口部２ｂと熱交換機６との間に設けられたフィルタ６は、前面開口部２ａ及び上面開口部２ｂから取り入られた室内空気に含まれる塵埃を除去するために設けられている。
【００１８】
実施の形態１の空気調和機において熱交換した空気を室内に吹き出すための吹出口２ｃには、当該吹出口２ｃを開閉するとともに、空気の吹き出し方向を上下方向に変更することができる上下風向変更手段である上下風向変更羽根１０が設けられている。さらに、吹出口２ｃの内部には空気の吹き出し方向を左右に変更することができる左右風向変更手段である左右風向変更羽根９が設けられている。
【００１９】
上下風向変更羽根１０は、第１の羽根の一例である下羽根１１と、この下羽根１１の上方に設けられた第２の羽根の一例である上羽根１２とを備えている。上下風向変更羽根１０は、下羽根１１と上羽根１２とが協働して、吹出口２ｃから吹き出される空気の吹き出し方向を制御するように構成されている。下羽根１１は、第１の羽根駆動軸の一例である下羽根駆動軸１３に固定されており、下羽根駆動軸１３の回動動作により、下羽根駆動軸１３を中心として回動するよう設けられている。
【００２０】
左右風向変更羽根９は、例えば、室内機１の正面から見て左側に位置する一組の羽根と、右側に位置する一組の羽根とで構成されている。各一組の羽根は、複数枚（例えば、５枚）の羽根で構成されている。また、各一組の羽根は、それぞれが別々の駆動源（例えば、駆動モータ）１６に連結されており、それぞれの駆動源１６により独立して制御される。
【００２１】
空気調和機が空調運転を開始すると、上下風向変更羽根１０が開動作を行い吹出口２ｃが開放される。このように吹出口２ｃが開放された状態でファン５が駆動されて、室内空気が前面開口部２ａ及び上面開口部２ｂを通して室内機１の内部に取り入れられる。取り入れられた室内空気は、フィルタ６を通り、熱交換器４において熱交換されて、ファン５に吸い込まれる。ファン５に吸い込まれた熱交換された空気は、ファン５の下流側に形成された通風路１７を通り、吹出口２ｃより吹き出される。
【００２２】
ファン５の下流側に形成され、吹出口２ｃにおける上流側に配置される通風路１７は、ファン５の下流側に配置されて空気の流れを案内するリアガイダ７と、このリアガイダ７に対向するスタビライザ８と、本体２の両側壁（図示せず）とで形成されている。
【００２３】
吹出口２ｃからの空気の吹き出し方向は、上下風向変更羽根１０及び左右風向変更羽根９により制御される。上下風向変更羽根１０及び左右風向変更羽根９の角度調整等の動作は、室内機１を制御する制御装置（図示せず）により制御される。
【００２４】
なお、実施の形態１におけるスタビライザ８は、ファン５の下流近傍に配設され、ファン５の排出部付近に発生する渦を安定化させるスタビライザ機能を有する壁部分と、このスタビライザ機能を有する壁部分の下流側に配設され、ファン５により搬送された空気の圧力回復を担うディフューザ機能を有する壁部分とを含み、通風路１７における吹出口２ｃに至る上側の壁部分を示している。
【００２５】
次に、図２を用い、実施の形態１の空気調和機の構成例について説明する。ここでは、図１中の空気調和機の構成を一例に挙げる。なお、図中において、冷凍サイクルに関する構成については省略している。
【００２６】
図示するように、実施の形態１の空気調和機は、室内機１及び室外機１００により構成される。例えば、室内機１は住居の屋内に配置され、室外機１００は住居の外に配置される。
【００２７】
室内機１は、コントローラ３３、及びリモコン受信部３４を備え、例えば住居内の商用電源から電力の供給を受ける。
【００２８】
コントローラ（制御部）３３は、この空気調和機の全体の動作を制御する。コントローラ３３は、室温検出部３５がリモコン３０で設定された温度になるように空気調和機の運転（詳細は後述）を指示する信号をリモコン受信部３４で受信すると、その設定温度になるように室内機１及び室外機１００を制御する。
【００２９】
室外機１００は、室外ファン駆動回路４１、コンプレッサ駆動回路４２、室外ファン４３、及びコンプレッサ４４を備え、室内機１から電力供給を受ける。
【００３０】
室外ファン駆動回路４１は、コントローラ３３からの制御信号を受け、室外ファン４３の回転数等の駆動を制御する。
【００３１】
コンプレッサ（圧縮機）駆動回路４２は、コントローラ３３からの制御信号を受け、コンプレッサ（圧縮機）４４の回転数等の駆動を制御する。
【００３２】
室外ファン４３は、ファン駆動回路４１の制御に従い動作して、屋外熱交換機（図示せず）中の冷媒の放熱又は吸熱させるための気流を発生する。
【００３３】
コンプレッサ（圧縮機）４４は、コンプレッサ駆動回路４２の制御に従い、空気調和機内を循環する冷媒（図示せず）に圧縮する。
【００３４】
室温検出部３５は、住居内の空気調和機が配置される室内の室温を検知し、検出信号としてコントローラ３３に送信する。
【００３５】
図３において、運転モードで圧縮機４４が通常運転から停止後、室温ウォッチ運転を開始する。室温ウォッチ運転は、サンプリング区間と報知判定区間とで構成され、サンプリング区間とは運転停止後の本体の吸込み温度を安定させるための非検出時間であり、実施例の場合、２０分間を確保している。このサンプリング区間は、ファン５の運転を図３のように、ファン停止５分、運転２分と周期的に行い、吸込み温度の安定を図り、誤検知の防止をする。
【００３６】
そして上記のサンプリング区間後、報知判定区間である検出を開始し、室内の温度と湿度が閾値を、例えば１０分以上継続して超えているかどうかを検出し、継続して超えていれば報知を行う。
【００３７】
本体の運転停止中に、上記の室温ウォッチ運転を行うので、室温ウォッチ中は、本体に備えたＬＥＤ等は消灯し、上下風向変更羽根１０は全閉され、利用者から見て運転停止状態に保持されている。
【００３８】
上記の動作により、報知判定時間中に、室内温度と室内湿度が閾値以上を継続すると報知手段を報知することにより、室内空間の環境が、健康管理上、不利であることを利用者に報知し、空気調和機の運転開始を促すことができる。
【００３９】
また、空気調和機の吹出し口は閉塞したまま、送風運転を行うので、室内温度センサが、閾値以上に高温になった室内熱交換器の温度を検知して誤報知するのを防止することができる。
【００４０】
サンプリング時間の間、空気調和機の吹出し口は閉塞し、送風運転は停止するので、停止中に室内熱交換器に溜まった冷媒が送風運転によって熱交換されて送風による冷風によって室内温度センサが室温以下に冷やされて、室内温度を誤検知するのを防止することができる。
【産業上の利用可能性】
【００４１】
本発明に係る空気調和機は、外気温度と室温を見張って、所定温度および湿度に達した場合に、利用者に報知する空気調和機として有用である。
【符号の説明】
【００４２】
５  ファン
３０  リモコン
３４  リモコン受信部
３５  室温検出部、湿度検出部
【図２】
2014153042.tif 000003
【図３】
2014153042.tif 000004
【図１】
2014153042.tif 000005
【図４】
2014153042.tif 000006